(57)【要約】  観察者に画像を表示するための光学システムは、非偏光の画像光を発する複数の画素を含む画素化ディスプレイと、所定の波長範囲内において少なくとも３０％の平均光反射率を有する部分反射体と、画素化ディスプレイと部分反射体との間に配置された第１のリターダ層と、第１のリターダ層と部分反射体との間に配置された第２のリターダ層と、第１のリターダ層と第２のリターダ層との間に配置された反射偏光子、を含む。反射偏光子は、画素化ディスプレイにより発せられ、かつ、画素により発せられた非偏光の画像光の少なくとも一部分をリサイクルすることによって観察者に表示される、画素化画像の輝度を増大させるように、及び、部分反射体により反射された画像光線を受光して、受光した画像光線を観察者に向かって反射するように適合されている。
2021534452.tif 000002
【特許請求の範囲】
【請求項１】
観察者に画像を表示するための光学システムであって、
画素化画像を発するように適合され、かつ複数の発光画素を備える画素化ディスプレイであって、各発光画素は、非偏光の画像光を発するように適合されている、画素化ディスプレイと、
湾曲した第１の主表面を備える第１の光学レンズと、
前記第１の光学レンズの主表面上に配置され、前記第１の光学レンズの主表面に適合する部分反射体であって、少なくとも約４５０ｎｍ〜約６００ｎｍにわたる所定の波長範囲内において少なくとも３０％の平均光反射率を有する、部分反射体と、
前記画素化ディスプレイと前記部分反射体との間に配置された第１のリターダ層と、
前記第１のリターダ層と前記部分反射体との間に配置された第２のリターダ層と、
前記第１のリターダ層と前記第２のリターダ層との間に配置された反射偏光子であって、前記所定の波長範囲内において、第１の偏光状態を有する光を実質的に反射し、直交する第２の偏光状態を有する光を実質的に透過する、反射偏光子と、を備え、前記反射偏光子は、
前記画素化ディスプレイにより発せられ、かつ、各発光画素により発せられた非偏光の画像光の少なくとも一部分をリサイクルすることによって前記観察者に表示される、画素化画像の輝度を増大させるように、及び、
前記部分反射体により反射された画像光線を受光して、前記受光した画像光線を前記観察者に向かって反射するように適合されている、観察者に画像を表示するための光学システム。
【請求項２】
前記複数の発光画素は、約２０％超の可視範囲内における平均光反射率を有する基材上に配置されている、請求項１に記載の光学システム。
【請求項３】
前記第１のリターダ層は、実質的に、前記所定の波長範囲内の少なくとも１つの波長に対する四分の一波長リターダである、請求項１又は２に記載の光学システム。
【請求項４】
前記第２のリターダ層は、実質的に、前記所定の波長範囲内の少なくとも１つの波長に対する四分の一波長リターダである、請求項１〜３のいずれか一項に記載の光学システム。
【請求項５】
前記第１の光学レンズと前記反射偏光子との間に配置された第２の光学レンズを更に備える、請求項１〜４のいずれか一項に記載の光学システム。
【請求項６】
前記第２の光学レンズは、前記画素化ディスプレイに向かって凹状の湾曲した第１の主表面と、前記第２の光学レンズの前記第１の主表面と前記画素化ディスプレイとの間に配置された、反対側の平坦な第２の主表面と、を備える、請求項５に記載の光学システム。
【請求項７】
前記第２のリターダ層は、前記第２の光学レンズの前記平坦な第２の主表面上に配置されている、請求項６に記載の光学システム。
【請求項８】
前記反射偏光子は、透明なバリア基材上に配置されており、前記反射偏光子は、前記バリア基材と前記画素化ディスプレイとの間に配置されており、前記バリア基材は、前記画素化ディスプレイへの水分又は酸素のうちの少なくとも１つの浸透を防止するために、前記画素化ディスプレイに結合されている、請求項１〜７のいずれか一項に記載の光学システム。
【請求項９】
前記観察者と前記部分反射体との間に配置された吸収偏光子を更に備え、前記吸収偏光子は、前記所定の波長範囲内において、前記第１の偏光状態を有する光を実質的に透過し、前記第２の偏光状態を有する光を実質的に吸収する、請求項１〜８のいずれか一項に記載の光学システム。
【請求項１０】
前記吸収偏光子と前記部分反射体との間に配置された第３のリターダ層を更に備える、請求項９に記載の光学システム。
【請求項１１】
前記反射偏光子は、前記第１の偏光状態を有する前記発せられた光の少なくとも一部分を反射することによって、各発光画素により発せられた前記非偏光の画像光の少なくとも一部分をリサイクルするように適合されており、前記反射された光の少なくとも一部分は、前記第２の偏光状態を有し、前記画素化ディスプレイにより反射された後に前記反射偏光子によって透過される、請求項１〜１０のいずれか一項に記載の光学システム。
【請求項１２】
観察者に画素化仮想画像を表示するための光学システムであって、
画素化画像を発するように適合された画素化ディスプレイシステムと、
前記画素化ディスプレイシステムと前記観察者との間に配置され、前記発せられた画素化画像を受け取って、前記画素化仮想画像を形成するように適合された折り返し光学システムと、を備え、前記画素化ディスプレイシステム及び前記折り返し光学システムは、それらの間で共用反射偏光子を共有し、前記共用反射偏光子は、
前記画素化ディスプレイシステム内で、前記発せられた画素化画像の少なくとも一部分をリサイクルするように、及び、
前記反射偏光子により透過された前記発せられた画素化画像の少なくとも一部分を、前記観察者に向かって反射することによって、前記発せられた画素化画像の輝度を増大させるように適合されている、観察者に画素化仮想画像を表示するための光学システム。
【請求項１３】
前記共用反射偏光子は、複数の交互の、低屈折率を有する第１のポリマー層と高屈折率を有する第２のポリマー層とを含む、請求項１２に記載の光学システム。
【請求項１４】
前記共用反射偏光子は、ワイヤグリッド偏光子を含む、請求項１２に記載の光学システム。
【請求項１５】
前記折り返し光学システムは、少なくとも約４５０ｎｍ〜約６００ｎｍにわたる所定の波長範囲内において少なくとも３０％の平均光反射率を有する部分反射体を更に備え、前記折り返し光学システムは、前記画素化仮想画像を形成する前に前記折り返し光学システム内で、前記発せられた画素化画像を少なくとも１回反射する、前記共用反射偏光子及び前記部分反射体の各々によって、前記発せられた画素化画像の光学経路を折り返す、請求項１２〜１４のいずれか一項に記載の方法。
【発明の詳細な説明】
【背景技術】
【０００１】
例えば観察者に画像を提供するために、ヘッドマウントディスプレイ内で光学システムを使用することができる。光学システムは、部分反射体、反射偏光子、及びディスプレイパネルを含むことができる。
【発明の概要】
【０００２】
本説明のいくつかの態様では、観察者に像を表示するための光学システムが提供される。本光学システムは、画素化画像を発するように適合された画素化ディスプレイと、湾曲した第１の主表面を備える第１の光学レンズと、第１の光学レンズの主表面上に配置され、第１の光学レンズの主表面に適合する部分反射体と、画素化ディスプレイと部分反射体との間に配置された第１のリターダ層と、第１のリターダ層と部分反射体との間に配置された第２のリターダ層と、第１のリターダ層と第２のリターダ層との間に配置された反射偏光子と、を備える。画素化ディスプレイは、複数の発光画素を含み、各発光画素は、非偏光の画像光を発するように適合されている。部分反射体は、少なくとも約４５０ｎｍ〜約６００ｎｍにわたる所定の波長範囲内において少なくとも３０％の平均光反射率を有する。反射偏光子は、所定の波長範囲内において、第１の偏光状態を有する光を実質的に反射し、直交する第２の偏光状態を有する光を実質的に透過する。反射偏光子は、画素化ディスプレイにより発せられ、かつ、各発光画素により発せられた非偏光の画像光の少なくとも一部分をリサイクルすることによって観察者に表示される、画素化画像の輝度を増大させるように、及び、部分反射体により反射された画像光線を受光して、受光した画像光線を観察者に向かって反射するように適合されている。
【０００３】
本明細書のいくつかの態様では、観察者に画素化仮想画像を表示するための光学システムが提供される。光学システムは、画素化画像を発するように適合された画素化ディスプレイシステムと、画素化ディスプレイシステムと観察者との間に配置されており、発せられた画素化画像を受け取って、画素化仮想画像を形成するように適合された折り返し光学システムと、を含む。画素化ディスプレイシステム及び折り返し光学システムは、それらの間で共用反射偏光子を共有する。共用反射偏光子は、画素化ディスプレイシステム内で、発せられた画素化画像の少なくとも一部分をリサイクルするように、及び、反射偏光子により透過された発せられた画素化画像の少なくとも一部分を観察者に向かって反射することによって、発せられた画素化画像の輝度を増大させるように適合されている。
【図面の簡単な説明】
【０００４】
【図１】観察者に画像を表示するための光学システムの概略図である。
【図２】観察者に画像を表示するための光学システムの概略断面図である。
【図３】直交する第１の偏光状態及び第２の偏光状態に関する反射偏光子の透過率の概略プロットである。
【図４】直交する第１の偏光状態及び第２の偏光状態に関する反射偏光子の反射率の概略プロットである。
【図５】多層反射偏光子の概略断面図である。
【図６】ワイヤグリッド偏光子の概略正面図である。
【図７Ａ】リターダンス対波長の概略プロットである。
【図７Ｂ】リターダンス対波長の概略プロットである。
【図８】ヘッドマウントディスプレイの概略上面図である。
【発明を実施するための形態】
【０００５】
以下の説明では、本明細書の一部を構成し、様々な実施形態が実例として示される、添付図面が参照される。図面は、必ずしも正確な比率の縮尺ではない。本開示の範囲又は趣旨から逸脱することなく、他の実施形態が想到され、実施可能である点を理解されたい。したがって、以下の発明を実施するための形態は、限定的な意味では解釈されないものとする。
【０００６】
例えば、米国特許第９，５５７，５６８号（Ｏｕｄｅｒｋｉｒｋら）に記載されているものなどの折り返し光学システムは、反射偏光子及び部分反射体を利用して、折り返し光学経路を提供する。例えば観察者に、高い視野を提供するために、このような光学システムをヘッドマウントディスプレイ内で使用することができる。画素化有機発光ダイオード（ＯＬＥＤ）ディスプレイを使用して、折り返し光学システムに画像を提供してもよい。このようなＯＬＥＤディスプレイは、典型的には、ディスプレイの輝度又は効率の低下を犠牲にして周囲反射を低減するために、吸収線形偏光子を有する円形偏光子、及び四分の一波長リターダを含む。米国特許第９，７７３，８４７号（Ｅｐｓｔｅｉｎら）に記載されているように、他の場合には吸収偏光子によって吸収される発光材料の光出力の一部分をリサイクルすることによってゲイン又は輝度を（例えば、少なくとも１０％、又は少なくとも２０％、又は少なくとも３０％）増大させるために、吸収偏光子とリターダの間に反射偏光子を配置してもよい。
【０００７】
本明細書によれば、単一の反射偏光子を使用して、折り返し光学システム内に折り返し光学経路を提供し、画素化ディスプレイシステム内でリサイクルを実施できることが分かった。部分反射体と反射偏光子との間の折り返し光学経路とは、例えば、反射偏光子と部分反射体との間の距離よりも実質的に長い（例えば、少なくとも２倍の長さ、又は約３倍の長さの）光学経路を指す。折り返し光学システムとは、そのような折り返し光学経路を含む光学システムを指す。画素化ディスプレイシステムは、ＯＬＥＤディスプレイパネルで従来使用されている吸収偏光子がないＯＬＥＤディスプレイパネルを含み得る。
【０００８】
図１は、観察者３１５に画素化仮想画像３４０を表示するための光学システム１００の概略断面図である。光学システム１００は、画素化ディスプレイシステム２５０を含み、かつ画素化画像３１６を発するように適合されている、画素化ディスプレイ４１０を含む。光学システム１００は、画素化ディスプレイシステム２５０と観察者３１５との間に配置された折り返し光学システム２６０を更に含む。折り返し光学システム２６０は、２本の直交軸を中心に湾曲し得る部分反射体２４０（湾曲は、図１の概略図には示されていない）を含む。画素化ディスプレイシステム２５０及び折り返し光学システム２６０は、それらの間で共用反射偏光子２７０を共有する。折り返し光学システム２６０は、発せられた画素化画像３１６を受信して、画素化仮想画像３４０を形成するように適合されている。共用反射偏光子２７０は、画素化ディスプレイシステム２５０内で、発せられた画素化画像３１６の少なくとも一部分をリサイクルすることによって、発せられた画素化画像３１６の輝度を増大させるように適合されている。例えば、発せられた画素化画像３１６は、光３１２を含む光線によって形成され得る。光３１２の一部分３１４は、反射偏光子２７０を透過され、光３１２の一部分３１３は、反射偏光子２７０によって画素化ディスプレイ４１０に向かって反射される。一部分３１３の少なくとも一部分３１７は、画素化ディスプレイ４１０により反射され、反射偏光子２７０に向かって戻る。一部分３１７の少なくとも一部分は、反射偏光子２７０に入射するときには第２の偏光状態にあり、反射偏光子２７０を透過される。このようにすると、光３１３は、少なくとも部分的にリサイクルされる。
【０００９】
折り返し光学システム２６０は、画素化仮想画像３４０を形成する前に折り返し光学システム２６０内で、発せられた画素化画像を少なくとも１回反射する、共用反射偏光子２７０及び部分反射体２４０の各々によって、発せられた画素化画像３１６の光学経路を折り返す。共用反射偏光子２７０は、反射偏光子２７０により透過された発せられた画素化画像３１６の少なくとも一部分を、観察者３１５に向かって反射するように適合されている。例えば、反射偏光子２７０により透過された発せられた画素化画像３１６の一部分は光３１４を含んでもよく、光３１４の少なくとも一部分３１０は、部分反射体２４０により反射され、反射偏光子２７０に向かって戻り、次いで、部分反射体２４０は、光３１０の少なくとも一部分３１１を観察者３１５に向かって反射する。
【００１０】
光３１１及び３１３は、反射偏光子２７０から反射した直後には第１の偏光状態１４２を有し、光３１４及び３１７は、反射偏光子２７０を透過された直後には第２の偏光状態１４４を有する（本明細書の他の箇所で更に説明されるように偏光状態を実質的に変化させるために、リターダ層が含まれ得る）。第１の偏光状態１４２は、反射偏光子２７０のブロック状態として特徴付けることができ、第２の偏光状態１４４は、反射偏光子の通過状態として特徴付けることができる。いくつかの実施形態では、反射偏光子２７０は、第１の偏光状態１４２を有する発せられた光の少なくとも一部分３１３を反射することによって、画素化ディスプレイ４１０内の各発光画素により発せられた非偏光の画像光３１２の少なくとも一部分をリサイクルするように適合されており、反射された光の少なくとも一部分３１７は、第２の偏光状態１４４を有し、画素化ディスプレイ４１０により反射された後に反射偏光子によって透過される。
【００１１】
画素化ディスプレイシステム２５０及び折り返し光学システム２６０は、本明細書の他の箇所で更に説明されるように、図１には図示されていない追加の要素を含んでもよい（例えば、図２を参照）。
【００１２】
図２は、観察者２１５に画像１４０（例えば、画素化仮想画像）を表示するための光学システム２００の概略断面図である。光学システム２００は、例えば、光学システム１００に対応し得る。光学システム２００は、画素化画像１６を発するように適合された画素化ディスプレイ１０を含む。画素化ディスプレイ１０は、複数の発光画素１１を含み、各発光画素は、非偏光の画像光１２を発するように適合されている。光学システム２００は、湾曲した第１の主表面３１を有する第１の光学レンズ３０と、第１の光学レンズ３０の主表面（例えば、第１の主表面３１又は反対側の第２の主表面３２）上に配置され、第１の光学レンズ３０の主表面に適合する部分反射体４０であって、少なくとも約４５０ｎｍ〜約６００ｎｍにわたる所定の波長範囲内において少なくとも３０％の平均光反射率を有する、部分反射体４０と、画素化ディスプレイ１０と部分反射体４０との間に配置された第１のリターダ層５０と、第１のリターダ層５０と部分反射体４０との間に配置された第２のリターダ層６０と、第１のリターダ層５０と第２のリターダ層６０との間に配置された反射偏光子７０と、を更に含む。
【００１３】
反射偏光子７０は、所定の波長範囲内において、第１の偏光状態を有する光を実質的に反射し、直交する第２の偏光状態を有する光を実質的に透過する。例えば、図示した断面における光線の第１の偏光状態は、図２に示されるｘ−ｙ−ｚ座標系を参照してｙ方向に沿った電界を伴う偏光状態であってもよく、第２の偏光状態は、ｘ−ｚ平面内の電界を有してもよく、あるいはその逆であってもよい。実質的に反射するとは、所定の波長範囲内において、第１の偏光状態を有する入射光の少なくとも６０％を反射することを意味すると理解することができ、実質的に透過するとは、所定の波長範囲において、第２の偏光状態を有する入射光の少なくとも６０％を透過することを意味すると理解することができる。いくつかの実施形態では、反射偏光子７０は、所定の波長範囲において、第１の偏光状態を有する光の少なくとも７０％を反射し、第２の偏光状態を有する光の少なくとも７０％を透過する。いくつかの実施形態では、反射偏光子７０は所定の波長範囲内において、第１の偏光状態を有する光の少なくとも８０％を反射し、第２の偏光状態を有する光の少なくとも８０％を透過する。
【００１４】
所定の波長範囲は、少なくとも約４５０ｎｍ〜約６００ｎｍにわたる。少なくとも約４５０ｎｍ〜約６００ｎｍにわたる波長範囲にわたる平均反射率及び平均透過率が、反射偏光子及び／又は部分反射体を特徴付けるのに有用であることが分かった。所定の波長範囲は、４５０ｎｍよりも小さい波長及び／又は６００ｎｍよりも大きい波長までわたってもよい。いくつかの実施形態では、所定の波長範囲は、少なくとも約４００ｎｍ〜約６００ｎｍにわたる、又は少なくとも約４５０ｎｍ〜約６５０ｎｍにわたる、又は少なくとも約４５０ｎｍ〜約７００ｎｍにわたる、又は少なくとも約４００ｎｍ〜約７００ｎｍにわたる。いくつかの実施形態では、所定の波長範囲は、約４５０ｎｍ〜約６００ｎｍ、又は約４５０ｎｍ〜約６５０ｎｍ、又は約４５０ｎｍ〜約７００ｎｍ、又は約４００ｎｍ〜約６００ｎｍ、又は約４００ｎｍ〜約７００ｎｍである。
【００１５】
反射偏光子７０は、各発光画素１１により発せられた非偏光の画像光１２の少なくとも一部分をリサイクルすることによって、画素化ディスプレイ１０により発せられ、かつ、観察者２１５に表示される画素化画像１６の輝度を増大させるように、また、反射偏光子７０は、部分反射体４０により反射された画像光線２１０を受光して、受光した画像光線２１０を観察者２１５に向かって反射するように適合されている。いくつかの実施形態では、反射偏光子７０は、画素化ディスプレイにより発せられた画素化画像の輝度を少なくとも１０％、又は少なくとも２０％、又は少なくとも３０％増大させるように適合される。いくつかの実施形態では、反射偏光子７０は、第１の偏光状態を有する発せられた光の少なくとも一部分を反射することによって、各発光画素１１により発せられた非偏光の画像光１２の少なくとも一部分をリサイクルするように適合されており、反射された光の少なくとも一部分は、第２の偏光状態を有し、画素化ディスプレイ１０により反射された後に反射偏光子によって透過される。
【００１６】
画素化ディスプレイ１０として、任意の好適なディスプレイを利用することができる。いくつかの実施形態では、画素化ディスプレイ１０は、画素化有機発光ダイオード（ＯＬＥＤ）ディスプレイである。いくつかの実施形態では、各発光画素は、対応する薄膜トランジスタ１３を含む。いくつかの実施形態では、複数の発光画素１１は、基材１４上に配置されている。いくつかの実施形態では、可視範囲（例えば、４００ｎｍ〜７００ｎｍの波長）内における基材１４の平均光反射率は、約２０％超、又は約３０％超、又は約４０％超、又は約５０％超、又は約６０％超、又は約６０％超、又は約７０％である。平均とは、可視範囲内の波長にわたり、かつ、基材１４の領域にわたる非加重平均である。基材１４は、例えば、反射性金属層を含んでもよく、あるいは、例えば、交互の誘電体層の反射性積層体を含んでもよい。いくつかの実施形態では、複数の発光画素１１は、非偏光の青色の画像光（例えば、４００ｎｍ〜５００ｎｍの波長）を発するように適合された少なくとも第１の発光画素１１ａと、非偏光の緑色の画像光（例えば、５００ｎｍ〜６００ｎｍの波長）を発するように適合された少なくとも第２の発光画素１１ｂと、非偏光の赤色の画像光（例えば、６００ｎｍ〜７００ｎｍの波長）を発するように適合された少なくとも第３の発光画素１１ｃと、を含む。いくつかの実施形態では、画素化ディスプレイ１０は、複数の発光画素１１上に配置された光学的に透明な電極１５を更に含む。
【００１７】
いくつかの実施形態では、第１の光学レンズ３０の湾曲した第１の主表面３１は、画素化ディスプレイ１０に向かって凹状である。いくつかの実施形態では、第１の光学レンズ３０は、画素化ディスプレイ１０に向かって凹状の湾曲した第２の主表面３２を有する。いくつかの実施形態では、部分反射体４０は、第１の光学レンズ３０の湾曲した第１の主表面３１上に配置され、湾曲した第１の主表面に適合する。
【００１８】
いくつかの実施形態ではて、第１のリターダ層５０は、実質的に、所定の波長範囲内の少なくとも１つの波長に対する（例えば、所定の波長範囲内の少なくとも１つの波長に対して波長の１０％以内又は５％以内のリターダンスを有する）四分の一波長リターダである。いくつかの実施形態では、２００の光学システムは、第１のリターダ層５０を反射偏光子７０に結合する第１の接着剤層８０を更に含む。いくつかの実施形態では、第２のリターダ層６０は、実質的に、所定の波長範囲内の少なくとも１つの波長に対する四分の一波長リターダある。いくつかの実施形態では、光学システム２００は、第１の光学レンズ３０と反射偏光子７０との間に配置された第２の光学レンズ９０を更に含む。いくつかの実施形態では、第２の光学レンズ９０は、画素化ディスプレイ１０に向かって凹状の湾曲した第１の主表面９１と、第２の光学レンズ９０の第１の主表面９１と画素化ディスプレイ１０との間に配置された、反対側の平坦な第２の主表面９２と、を備える。いくつかの実施形態では、第２のリターダ層６０は、第２の光学レンズ９０の平坦な第２の主表面９２上に配置される。
【００１９】
いくつかの実施形態では、反射偏光子７０は、透明なバリア基材１８３上に配置されており、反射偏光子７０は、バリア基材１８３と画素化ディスプレイ１０との間に配置されており、バリア基材１８３は、画素化ディスプレイ１０への水分又は酸素のうちの少なくとも１つの浸透を防止するために、画素化ディスプレイ１０に結合されている。透明なバリア基材１８３は、例えば、ガラスであってもよく、又はガラスを含んでもよい。
【００２０】
いくつかの実施形態では、光学システム２００は、観察者２１５と部分反射体４０との間に配置された光吸収偏光子１１０を更に含む。いくつかの実施形態では、吸収偏光子１１０は、所定の波長範囲内において、第１の偏光状態を有する光を実質的に透過し（例えば、第１の変更状態を有する光の少なくとも６０％、又は少なくとも７０％、又は少なくとも８０％を透過し、第２の偏光状態を有する光を実質的に吸収する（例えば、第２の偏光状態を有する光の５０％超、又は６０％超、又は７０％超を吸収する）。いくつかの実施形態では、光学システム２００は、吸収偏光子１１０と部分反射体４０との間に配置された第３のリターダ層１２０を更に含む。いくつかの実施形態では、第３のリターダ層１２０は、実質的に、所定の波長範囲内の少なくとも１つの波長に対する四分の一波長リターダである。いくつかの実施形態では、第２のリターダ層６０及び第３のリターダ層１２０は、互いに実質的に直交する（例えば、２０度以内又は１０度以内で直交する）高速軸を有する。実質的に直交する高速軸を有するリターダを利用することによって、例えば、リターダのリターダンスの波長依存性に起因して、偏光状態の変動の少なくとも一部を相殺することが可能になる。吸収偏光子１１０及び第３のリターダ層１２０は、部分反射体４０により予め反射されることなく反射偏光子７０及び部分反射体４０を透過された光が、観察者２１５に到達することをブロックすることができる。例えば、第２のリターダ層６０及び第３のリターダ層１２０が互いに実質的に直交する高速軸を有し、第２の偏光状態が吸収偏光子１１０のブロック状態である実施形態では、部分反射体４０により反射されることなく部分反射体４０を透過した、第２の偏光状態（反射偏光子７０の通過偏光状態）の反射偏光子７０を透過された光は、吸収偏光子１１０に入射するときに、吸収偏光子１１０のブロック偏光状態であり得る。他の実施形態では、吸収偏光子１１０は、所定の波長範囲内において、第２の偏光状態を有する光を実質的に透過し、第１の偏光状態を有する光を実質的に吸収し、第２のリターダ層６０及び第３のリターダ層１２０は、互いに実質的に平行な（例えば、２０°以内又は１０°以内で平行な）高速軸を有する。
【００２１】
いくつかの実施形態では、観察者２１５に画素化仮想画像１４０を表示するための光学システム２００が提供される。光学システム２００は、画素化画像１６を発するように適合された画素化ディスプレイシステム１５０と、画素化ディスプレイシステム１５０と観察者２１５との間に配置されており、発せられた画素化画像１６を受信して、画素化仮想画像１４０を形成するように適合された折り返し光学システム１６０と、を含む。画素化ディスプレイシステム１５０及び折り返し光学システム１６０は、それらの間で共用反射偏光子７０を共有する。共用反射偏光子７０は、画素化ディスプレイシステム１５０内で、発せられた画素化画像１６の少なくとも一部分をリサイクルすることによって、発せられた画素化画像１６の輝度（例えば、軸上強度）を増大させるように適合されており、かつ、反射偏光子７０により透過された発せられた画素化画像１６の少なくとも一部分を、観察者２１５に向かって反射するように適合されている。いくつかの実施形態では、折り返し光学システム１６０は、画素化仮想画像１４０を形成する前に折り返し光学システム１６０内で、発せられた画素化画像を少なくとも１回反射する、共用反射偏光子７０及び部分反射体４０の各々によって、発せられた画素化画像１６の光学経路を折り返す。
【００２２】
本明細書の光学システムのいずれかに使用される部分反射体は、任意の好適な部分反射体であってもよい。いくつかの実施形態では、部分反射体４０は、所定の波長範囲内において、少なくとも３０％の平均光透過率を有する。いくつかの実施形態では、部分反射体４０は、金属を含む。例えば、部分反射体は、透明基材（例えば、次にレンズに接着することができるフィルム、又は基材はレンズであってもよい）上に金属（例えば、銀又はアルミニウム）の薄層をコーティングすることによって構築されてもよい。この部分反射体はまた、例えば、レンズ基材の表面上に薄膜誘電体コーティングを堆積させることによって、又はレンズ基材の表面上に、金属コーティングと誘電体コーティングとの組み合わせを堆積させることによって、形成することもできる。いくつかの実施形態では、少なくとも約４５０ｎｍ〜約６００ｎｍにわたる所定の波長範囲内の垂直入射光に対して、部分反射体は、少なくとも３０％の平均光反射率を有する。いくつかの実施形態では、部分反射体の平均光反射率は、４０％〜６０％の範囲内にある。いくつかの実施形態では、部分反射体は、所定の波長範囲内において、それぞれ３０％〜７０％の範囲内である、又はそれぞれ４０％〜６０％の範囲内である、又はそれぞれ４５％〜５５％の範囲内である平均光反射率及び平均光透過率を有する。部分反射体は、例えばハーフミラーであってよい。
【００２３】
部分反射体の平均光反射率とは、別段の指定がない限り、部分反射体に垂直に入射し、所定の波長範囲内の波長にわたって平均化された（非加重平均）非偏光の光に対する光反射率を指す。特定の偏光状態に対する反射偏光子の平均光反射率及び平均光透過率とは、それぞれ、別段の指定がない限り、特定の偏光状態で反射偏光子に実質的に垂直に入射し、所定の波長範囲内の波長にわたって平均化（非加重平均）された光に対する光反射率及び光透過率を同様に指し得る。例えば、いくつかの実施形態では、所定の波長範囲内の垂直入射光に対して、反射偏光子は、第１の偏光状態の少なくとも６０％、又は少なくとも７０％、又は少なくとも８０％の平均光反射率を有し、かつ、第２の偏光状態の少なくとも６０％、又は少なくとも７０％、又は少なくとも８０％の平均光透過率を有する。
【００２４】
図３は、垂直入射光に対する、直交する第１の偏光状態及び第２の偏光状態に関する反射偏光子の透過率の概略プロットである。λ１〜λ２の所定の波長範囲内の波長にわたる透過率の平均は、第１の偏光状態ではＴｓであり、第２の偏光状態ではＴｐである。いくつかの実施形態では、λ１は、約４００ｎｍ〜約４５０ｎｍの範囲であり、λ２は、約６００ｎｍ〜約７００ｎｍ又は約６５０ｎｍ〜約７００ｎｍの範囲である。いくつかの実施形態では、Ｔｐは、少なくとも６０％、又は少なくとも７０％、又は少なくとも８０である。いくつかの実施形態では、Ｔｓは、３０％以下、又は２０％以下、又は１０％以下、又は５％以下、又は３％以下である。
【００２５】
図４は、垂直入射光に対する、直交する第１の偏光状態及び第２の偏光状態に関する反射偏光子の反射率の概略プロットである。λ１〜λ２の所定の波長範囲内の波長にわたる反射率の平均は、第１の偏光状態ではＲｓであり、第２の偏光状態ではＲｐである。いくつかの実施形態では、Ｒｓは、少なくとも６０％、又は少なくとも７０％、又は少なくとも８０である。いくつかの実施形態では、Ｒｐは、３０％以下、２０％以下、１０％以下、又は５％以下である。
【００２６】
図３〜図４に示す透過率及び／又は反射率は、反射偏光子上の位置についてでもよく、反射偏光子上の各位置は、例えば、形成プロセスにより、位置ごとにいくらか変動し得る対応する透過率及び反射率を有し得る。例えば、各位置は、一般に図４に示されるように、対応する反射帯域を有し得るが、帯域端波長λ０及び／又はλ３は、位置とともにいくらか変動し得る。反射偏光子は、反射偏光子上の少なくとも１つの位置が、特定の範囲内の平均透過率、反射率、及び／又は吸光度を有する場合、特定の範囲内の平均透過率及び／又は平均反射率を有すると言うことができる。いくつかの実施形態では、光学フィルムの領域の少なくとも大部分における各位置、又は光学フィルムの全ての領域若しくは実質的に全ての領域における各位置は、特定の平均透過率及び／又は平均反射率を有し得る。
【００２７】
多層光学フィルム反射偏光子の製造に使用される材料は、典型的には、少なくとも可視波長及び近可視波長にわたって、並びにフィルム内の典型的な光学経路距離にわたって、非常に低い吸光度を有するポリマー材料である。したがって、所与の光線に対する多層フィルムの％反射率Ｒ及び％透過率Ｔは、典型的には実質的に相補的であり、すなわち、Ｒ＋Ｔ≒１００％であり、通常、約１％以内の精度である。
【００２８】
反射偏光子フィルムなどの光学フィルムの透過率は、一般的に、（所与の波長、入射方向などの光に関する）透過された光の強度を入射光の強度によって除算したものを指すが、「外部透過率」又は「内部透過率」という用語で表されることもある。光学フィルムの外部透過率が光学フィルムの透過率となるのは、周囲が空気であり、かつ要素の前方の空気／要素界面のフレネル反射に対して、又は要素の後方の要素／空気界面のフレネル反射に対していかなる補正もされない場合である。光学フィルムの内部透過率がそのフィルムの透過率となるのは、その前方表面及び後方表面のフレネル反射が除かれた場合である。前方及び後方のフレネル反射の除去は、計算的に（例えば、フレネル方程式及び光学フィルムの最外層の屈折率測定値から求めることができる外部透過／反射スペクトルから適切な関数を差し引くことによって）、又は実験的に（例えば、内部透過率及び内部反射率は、光学フィルムの前面に配置され、かつ光学フィルムと好適に整列された吸収偏光子の有無にかかわらず、光学フィルムの反射率及び透過率の測定値、光学フィルムの前面及び後面に配置され、かつ光学フィルムと好適に整列された吸収偏光子の有無にかかわらず、光学フィルムの反射率及び透過率の測定値、並びに吸収偏光子の反射率及び透過率の測定値から抽出されてもよい）のいずれかで行われ得る。多くのタイプのポリマー及びガラス材料では、フレネル反射は、２つの外部表面の各々で約４〜６％（法線入射角又はほぼ法線入射角に対して）であり、これにより、外部透過率が、内部透過率と比べ約１０％下方にシフトする。
【００２９】
したがって、光学フィルムの内部透過とは、フィルム構成要素の外部表面ではなく、内部部分からのみ生じる透過を指す。内部透過率は「内部反射」に類似している。フィルムの内部反射とは、フィルム構成要素の２つの最外表面でなく、内部部分からのみ生じる反射を指す。ガラスなどの何らかの媒質に浸漬されたフィルムについて、光学フィルムの透過率又は反射率を求めてもよい。例えば、ガラスが光学フィルムの外層の屈折率に近い屈折率を有し、屈折率整合接着剤を使用して、光学フィルムを光学フィルムの各面上のガラス（例えば、ガラスプリズム）に結合する場合、ガラスに浸漬された光学フィルムの垂直入射の透過率及び反射率は、垂直入射の内部透過率及び反射率とそれぞれほぼ等しい。本明細書で内部又は外部を指定せずに透過率又は反射率に言及する場合、文脈により特に明記しない限り、透過率又は反射率は、内部透過率又は内部反射率を指すものと見なさなければならない。
【００３０】
内部反射特性及び内部透過特性は、光学モデリング又は実験室測定から容易に求めることができる。モデル化されたフィルムに関する反射率及び透過率の計算値の場合、内部反射及び内部透過は、計算された値からのそれらの表面反射の計算を省略することによって容易に達成される。反射スペクトル及び任意の角度での反射率、及び複屈折多層フィルムのバンドエッジなどのその特徴の全ては、Ｂｅｒｒｅｍａｎ  ａｎｄ  Ｓｃｈｅｆｆｅｒ，Ｐｈｙｓ．Ｒｅｖ．Ｌｅｔｔ．２５：５７７（１９７０）の４×４スタックコードを使用して計算することができる。本方法の説明は、Ｅｌｓｅｖｉｅｒ  Ｓｃｉｅｎｃｅ（Ｈｏｌｌａｎｄ）により公開されたＡｚｚａｍ及びＢａｓｈａｒａによって書かれた書籍「Ｅｌｌｉｐｓｏｍｅｔｒｙ  ａｎｄ  Ｐｏｌａｒｉｚｅｄ  Ｌｉｇｈｔ」に記載されている。
【００３１】
反射率又は透過率の測定値の場合、内部反射特性及び内部透過特性は、フィルムを空気中で測定し、表面反射率のみを表す計算値又は測定値を減算することによって求めることができる。例えば、多層フィルムが、干渉層よりもはるかに厚い平滑かつ透明な表面層を有すると仮定して、この表面層の屈折率を測定することができる。表面層の屈折率が分かると、当分野において周知の数式を使用することによって、測定された反射率の合計から表面反射率を差し引くことができる。
【００３２】
本明細書の光学システムに使用される反射偏光子は、どのような適切なタイプの反射偏光子であってもよい。いくつかの実施形態では、反射偏光子（例えば、反射偏光子７０又は２７０）は、多層ポリマー光学フィルムであるか、又は多層ポリマー光学フィルムを含む。いくつかの実施形態では、反射偏光子（例えば、反射偏光子７０又は２７０）は、ワイヤグリッド反射偏光子であるか、又はワイヤグリッド反射を含む。
【００３３】
図５は、例えば反射偏光子７０又は２７０に対応し得る多層反射偏光子４７０の概略断面図である。いくつかの実施形態では、反射偏光子４７０は、複数のポリマー層を含む。いくつかの実施形態では、反射偏光子４７０は、複数の交互の第１のポリマー層７１と第２のポリマー層７２とを含む。いくつかの実施形態では、複数の交互の第１のポリマー層７１及び第２のポリマー層７２の数は、１００〜７００個であり、各第１のポリマー層７１及び各第２のポリマー層７２は、約５００ｎｍ未満の平均厚さを有する。いくつかの実施形態では、反射偏光子４７０（あるいは共用反射偏光子７０又は２７０）は、複数の交互の低屈折率を有する第１のポリマー層７１と高屈折率を有する第２のポリマー層７２とを含む。例えば、ブロック軸に沿った第１のポリマー層７１の屈折率は、所定の波長範囲内の所定の波長（例えば、５３２ｎｍ、又は５５０ｎｍ、又は６３３ｎｍ）において、第２のポリマー層７２の屈折率よりも低くてもよい。
【００３４】
第１の層７１及び第２の層７２は、主に光干渉によって光を反射及び透過する干渉層であり得る。また、非干渉層である外側スキン層又は保護境界層を反射偏光子フィルムに含めてもよい。干渉層は、干渉層の反射率及び透過率が光干渉によって合理的に説明できるか、又は光干渉の結果として合理的に正確にモデル化できる場合、主に光干渉によって光を反射及び透過すると説明されてもよい。異なる屈折率を有する干渉層の隣接する対は、対が、光の波長の１／２の合成光学厚さ（ブロック軸に沿った屈折率×物理的厚さ）を有するときに、光干渉によって光を反射する。いくつかの実施形態では、光学繰り返し単位における隣接する対の干渉層の光学厚さは、ほぼ等しい。干渉層は、典型的には、約５００ｎｍ未満又は約２００ナノメートル未満の物理的厚さを有する。いくつかの実施形態では、各ポリマー干渉層は、約４５ナノメートル〜約２００ナノメートルの範囲の平均厚さ（層にわたる物理的厚さの非加重平均）を有する。非干渉層は、干渉によって可視光の反射に寄与するには大きすぎる光学的厚さを有する。非干渉層は典型的に、少なくとも１マイクロメートル又は少なくとも５マイクロメートルの物理的厚さを有する。干渉層３１０２は、所定の波長範囲において主に光干渉によって光を反射及び透過する複数のポリマー干渉層であり得る。干渉層及び非干渉層を含む反射偏光子フィルムの平均厚さは、約５００マイクロメートル未満とすることができる。
【００３５】
交互のポリマー層のための好適な材料は、ポリエチレンナフタレート（ＰＥＮ）、ＰＥＮ及びポリエステル（例えば、ポリエチレンテレフタレート（ＰＥＴ）又は二安息香酸）を含有するコポリマー、グリコール変性ポリエチレンテレフタレート、ポリカーボネート（ＰＣ）、又はこれらクラスの材料のブレンドを含む。
【００３６】
交互になったポリマー干渉層を含む光学フィルムの作製方法は、当該技術分野において既知であり、例えば、米国特許第５，８８２，７７４号（Ｊｏｎｚａら）、同第６，１７９，９４８号（Ｍｅｒｒｉｌｌら）、同第６，７８３，３４９号（Ｎｅａｖｉｎら）、及び同第９，１６２，４０６号（Ｎｅａｖｉｎら）に記載されている。簡潔に要約すると、製作方法は、（ａ）完成フィルム中で使用される第１及び第２のポリマーに対応する樹脂の少なくとも第１及び第２のストリームを提供することと、（ｂ）好適なフィードブロックを使用して、第１及び第２のストリームを複数の層に分割することと、（ｃ）複合材料ストリームを押出ダイに通して、各層が隣接する層の主表面に対して概ね平行である多層ウェブを形成することと、（ｄ）キャスティングホイール又はキャスティングドラムと呼ばれる場合があるチルロール上に多層ウェブをキャスティングして、キャスト多層フィルムを形成することと、を含むことができる。このキャストフィルムは、完成フィルムと同じ数の層を有してもよいが、キャストフィルムの層は、典型的には、完成フィルムの層よりもはるかに厚い。更に、キャストフィルムの層は、典型的には全て等方性である。多層ウェブがチルロール上で冷却された後、これを伸張又は延伸して、最終的な又はほぼ最終的な多層光学フィルムを製造することができる。延伸又は伸張は、２つの目標、すなわち、層をその所望の最終的な厚さまで薄くすること、及び層の少なくともいくつかが複屈折となるように層を配向することを達成する。方向付けること又は延伸は、クロスウェブ方向に沿って（例えばテンターにより）、ダウンウェブ方向に沿って（例えばレングスオリエンタ（length orienter）により）、又はそれらの任意の組み合わせで、同時に又は連続的に達成することができる。
【００３７】
いくつかの実施形態では、反射偏光子は、複数の交互の第１のポリマー層と第２のポリマー層とを含み、各第２のポリマー層は、１つ以上の位置（例えば、反射偏光子が実質的に平坦であるときの全ての位置、及び湾曲した反射偏光子の頂点から反射偏光子のブロック軸に概ね沿った円弧に沿った位置）において実質的に一軸配向されている。実質的に一軸配向された層は、実質的に同じ（例えば、０．０２以内又は０．０１以内）であるが、直交する面内（例えば、幅）方向の屈折率とは実質的に異なる（例えば、少なくとも０．０５異なる）、１つの面内（例えば、長さ）方向及び厚さ方向を有する。いくつかの実施形態では、任意の成形プロセスの前の多層光学フィルムは、実質的に一軸延伸フィルムであり、少なくとも０．７、少なくとも０．８、又は少なくとも０．８５の一軸特性度Ｕを有し、ここで、Ｕ＝（１／ＭＤＤＲ−１）／（ＴＤＤＲ１／２−１）であり、ＭＤＤＲは機械方向延伸比として定義され、ＴＤＤＲは横方向延伸比として定義される。このような実質的に一軸配向された多層光学フィルムは、米国特許出願公開第２０１０／０２５４００２号（Ｍｅｒｒｉｌｌら）に記載されており、多層フィルムを配向するためにパラボラテンターを使用することによって得ることができる。米国特許第９，５５７，５６８号（Ｏｕｄｅｒｋｉｒｋら）に記載されるように、実質的に一軸配向された反射偏光子フィルムは、折り返し光学システムにおいて改善された性能を提供する。
【００３８】
いくつかの実施形態では、本明細書の光学システムの反射偏光子は、ワイヤグリッド偏光子であるか、又はワイヤグリッド偏光子を含む。好適なワイヤグリッド偏光子は、当該技術分野において既知であり、典型的には、基材（例えば、基材１８３）上に配置され、かつ、所定の波長範囲内の波長よりも実質的に短い距離だけ離間している、実質的に平行な（例えば、２０度以内、又は１０度以内、又は５度以内、又は２度以内で平行な）金属ワイヤを含む。このようなワイヤグリッド偏光子は、例えば、リソグラフィ技術を使用して作製することができる。図６は、例えば反射偏光子７０又は２７０に対応し得るワイヤグリッド偏光子１３０の概略正面図である。ワイヤグリッド偏光子１３０は、第１の偏光状態の方向１３２に沿って延びている複数の実質的に平行な金属線１３１を含む。
【００３９】
本明細書の光学システムに使用されるリターダ層（単数又は複数）は、フィルム若しくはコーティング、又はフィルムとコーティングとの組み合わせとすることができる。適切なフィルムの例としては、例えば、Ｍｅａｄｏｗｌａｒｋ  Ｏｐｔｉｃｓ（Ｆｒｅｄｅｒｉｃｋ，ＣＯ）から入手可能なものなどの、複屈折ポリマーフィルムリターダが挙げられる。リターダ層を形成するための好適なコーティングとしては、米国特許第６，７１７，６４４号（Ｓｃｈａｄｔら）、同第６，９０５，７３９号（Ｃｈｅｒｋａｏｕｉら）、同第７，２０１，９４８号（Ｍｏｉａら）、同第７，３６４，６７１号（Ｓｃｈａｄｔら）、及び同第６，３００，９９１号（Ｓｃｈａｄｔら）に記載されている、直線光重合性ポリマー（ＬＰＰ）材料及び液晶ポリマー（ＬＣＰ）材料が挙げられる。適切なＬＰＰ材料にはＲＯＰ−１３１ＥＸＰ３０６ＬＰＰが含まれ、適切なＬＣＰ材料にはＲＯＦ−５１８５ＥＸＰ４１０ＬＣＰが含まれ、両方ともＲＯＬＩＣ  Ｔｅｃｈｎｏｌｏｇｉｅｓ  Ｌｔｄ（スイス、Ａｌｌｓｃｈｗｉｌ）より入手可能である。いくつかの実施形態では、リターダ層は、約２マイクロメートル未満の厚さである。隣接するピクセル間のクロストークを回避又は最小化するために複数の画素１１の平面の近くに反射偏光子７０を配置するためには、薄い第１のリターダ層５０及び第１の接着剤層８０を利用することが望ましいことがある。
【００４０】
図７Ａは、リターダ層に関するリターダンス（例えば、ｎｍ単位）対波長の概略図である。リターダンス対波長は、波長分散曲線１６００ａである。分散曲線１６００ａは、例えば、Ｍｅｒｃｋ（Ｄａｒｍｓｔａｄｔ，Ｇｅｒｍａｎｙ）から入手可能な無色リターダの分散曲線と同様である。理想的な無色四分の一波長リターダの分散曲線１６０７も示されている。分散曲線１６００ａを有するリターダは、例えば、波長λａ及びλｂでの四分の一波長リターダであってもよく、所定の波長範囲（例えば、λ１〜λ２）内の波長範囲にわたって実質的に四分の一波長（例えば、四分の一波長の１０％以内又は５％以内のリターダンス）であってもよい。図７Ｂは、異なるリターダ層に関する波長分散曲線１６００ｂの概略図である。分散曲線１６００ｂは、配向ポリマー層のリターダなどの従来のリターダの分散曲線と同様である。分散曲線１６００ｂは、所定の波長範囲内で波長の増加とともに単調に変化する。分散曲線１６００ｂを有するリターダ層は、例えば、波長λ３での実質的に四分の一波長のリターダであってもよい。
【００４１】
本明細書の光学システムで使用される光学レンズ（単数又は複数）は、任意の好適なタイプの光学レンズであってもよい。光学レンズは、例えば、ガラス又はポリマー（例えば、低複屈折ポリメチルメタアクリレート）から作製され得る。
【００４２】
いくつかの実施形態では、本明細書の少なくとも１つの光学システムを含むヘッドマウントディスプレイが提供される。例えば、ヘッドマウントディスプレイは、近接した右側光学システム及び左側光学システムを含んでもよく、本明細書の右側光学システム及び左側光学システムの各々は、本明細書の光学システムであり、左側光学システムは、観察者の左目に画像を提供するように構成され、右側光学システムは、観察者の右目に画像を提供するように適合されている。いくつかの実施形態では、右側ディスプレイ及び左側ディスプレイは、連続した画素化ディスプレイパネルの左側部分及び右側部分であるか、又は連続した画素化ディスプレイパネルの左側部分及び右側部分を含む。同様に、いくつかの実施形態では、右側及び左側反射偏光子は、連続した反射偏光子の左側部分及び右側部分であるか、又は連続した反射偏光子の左側部分及び右側部分を含む。他の実施形態では、右側光学システム及び左側光学システムにおいて、別個の右側画素化ディスプレイパネル及び左側画素化ディスプレイと、別個の右側反射偏光子及び左側反射偏光子とが使用される。図８は、フレーム１７９２と、それぞれの右側光学システム及び左側光学システムを含み得る右側ディスプレイ部分１７９４ａ及び左側ディスプレイ部分１７９４ｂと、を含むヘッドマウントディスプレイ１７９０の概略上面図であり、右側光学システム及び左側光学システムの各々は、ヘッドマウントディスプレイ１７９０が着用されたときに、部分反射体（例えば、４０又は２４）が、観察者に面し、画素化ディスプレイ（例えば、１０又は４１０）が観察者とは反対に面するように配置された、本明細書による光学システムである。
【００４３】
特徴部のサイズ、量、及び物理的性質を表す量に適用されるような「約」又は「実質的に」の使用が、本明細書に使用され記載されている文脈において、当業者にとって明らかではない場合、「約」は、特定の量の１０パーセント以内であるが、特定の量も厳密に含むことを意味すると理解することができる。例えば、本発明の記載に使用され記載されている文脈において、当業者にとって明らかではない場合、約１の値又は実質的に１の値を有する量は、０．９〜１．１の値を有するが、ちょうど１の値も含むことを意味する。
【００４４】
前述の参照文献、特許、又は特許出願はいずれも一貫した方法でそれらの全体を参照することにより本明細書に組み込まれる。組み込まれた参照文献の一部と本出願との間に不一致又は矛盾がある場合、前述の記載における情報が優先するものとする。
【００４５】
図中の要素の説明は、別段の指示がない限り、他の図中の対応する要素に等しく適用されるものと理解されたい。具体的な実施形態を本明細書において例示し記述したが、様々な代替及び／又は同等の実施により、図示及び記載した具体的な実施形態を、本開示の範囲を逸脱することなく置き換え可能であることが、当業者には理解されるであろう。本出願は、本明細書において説明した具体的な実施形態のあらゆる適合例又は変形例を包含することを意図する。したがって、本開示は、特許請求の範囲及びその同等物によってのみ限定されるものとする。
【図１】
2021534452.tif 000003
【図２】
2021534452.tif 000004
【図３】
2021534452.tif 000005
【図４】
2021534452.tif 000006
【図５】
2021534452.tif 000007
【図６】
2021534452.tif 000008
【図７Ａ】
2021534452.tif 000009
【図７Ｂ】
2021534452.tif 000010
【図８】
2021534452.tif 000011
【国際調査報告】
2021534452.tif 000012
2021534452.tif 000013